Podtech/llm-jp-corpus-v4-ja_patent huggingface dataset:
(57)【要約】【課題】  本願発明では、湾曲した金属板が反り返る時の反動を利用して、すばやく簡単に髪の毛に装着でき、しかも取り外しが簡単で取り外す際、髪の毛のセットが乱れにくい髪飾りを、提供することを目的とする。【解決方法】  あらかじめ端から端までをＵ字状に湾曲させた金属板の任意の湾曲箇所に、該湾曲箇所が反り返るような力を加えると、該湾曲箇所が反り返る反動で、瞬時に該金属板全体が円環状に巻くが、前記金属板の前記特性を有した金属板を使って構成し、該金属板が髪の毛にも巻きつくことを利用して装着することを特徴とした髪飾りを提供する。【選択図】図４
2011072759.tif 000002
【特許請求の範囲】
【請求項１】
あらかじめ端から端までをＵ字状に湾曲させた金属板の任意の湾曲箇所に、該湾曲箇所が反り返るような力を加えると、該湾曲箇所が反り返る反動で、瞬時に該金属板全体が円環状に巻くが、前記金属板の前記特性を有した金属板を使って構成し、該金属板が髪の毛にも巻きつくことを利用して装着することを特徴とした髪飾り。
【請求項２】
。
前記金属板の全面または一部分以上の部分が、装飾部材で覆われている、請求項１の髪飾り。
【請求項３】
前記金属板の片端又は両端が保護部材で覆われている、請求項１の髪飾り。
【発明の詳細な説明】
【技術分野】
【０００１】  本発明は、髪飾りに関する。
【背景技術】
【０００２】  従来の髪飾りを髪にとめるためには、例えば特許文献１に開示するように、リボンについている針金を髪に巻きつけて、ねじらなければならなかった。【０００３】  更に、別の従来技術では、例えば特許文献２に開示するように、らせん状の部分を髪に押し当てて回転させなければならなかった。【０００４】  特許文献１では、取り外す際に針金がからまって取れなくなる場合があり、特許文献２では取り外す際に髪の毛のセットが乱れることが予想される。
【先行技術文献】
【特許文献】
【特許文献１】特開平８−２１４９３５号公報（第２頁、図３）
【特許文献２】特開平８−１６４０１５号公報（第３頁、図３）
【発明の概要】
【発明が解決しようとする課題】
【０００５】  本願発明では、湾曲した金属板が反り返る時の反動を利用して、すばやく簡単に髪の毛に装着でき、しかも取り外しが簡単で取り外す際、髪の毛のセットが乱れにくい髪飾りを、提供することを目的とする。
【課題を解決するための手段】
【０００６】  あらかじめ端から端までをＵ字状に湾曲させた金属板の任意の湾曲箇所に、該湾曲箇所が反り返るような力を加えると、該湾曲箇所が反り返る反動で、瞬時に該金属板全体が円環状に巻くが、前記金属板の前記特性を有した金属板を使って構成し、該金属板が髪の毛にも巻きつくことを利用して装着することを特徴とした髪飾りを、本願発明では開示する。
【発明の効果】
【０００７】  本願発明に係る髪飾りは、湾曲した金属板が反り返る時の反動を利用することで、髪の毛に簡単に巻きつけられる。また、巻きついた金属板は、手で簡単にひろげる事ができ、ひろげた金属板の形状を維持することもできる。このため、取り外しも容易で、髪飾りを取り外す際、髪の毛のセットが乱れにくい。【０００８】  本願発明に係る髪飾りは、湾曲した金属板さえあれば構成できる。そのため、さび止めや安全面などに配慮さえすれば、該金属板自体に直接、装飾的デザインを施すこともできる。その他、布などで該金属板を包むだけでも、簡単に様々なデザインを施すことができる。【０００９】  また、デザインを施された金属板でも、ハンカチなどで包むことによって、更に違うデザインを施すこともできる。その他、金属板を包むハンカチや布の大きさを変えることによって、該金属板が髪の毛に巻きつく部分の直径の大きさを調節できる効果もある。【００１０】  その他、直径の大きさを変えるには、金属板のサイズを変えたり、金属板を湾曲させる角度を変えたりすることによっても、可能である。また、金属板の片端又は両端を、厚みのある素材で覆っても、髪の毛に巻きつく部分の直径を狭められる。【００１１】  また、金属板が強磁性を有する場合には、該金属板に装飾品を磁気吸着させることも可能である。
【図面の簡単な説明】
【図１】本願発明に係る髪飾りの構成例を示す平面図。
【図２】本願発明に係る髪飾りの別の構成例を示す平面図。
【図３】本願発明に係る金属板の一例であり、ひろげた状態を示す斜視図。
【図４】本願発明に係る金属板の一例であり、一部が円環状になっている瞬間を示す斜視図。
【図５】本願発明に係る金属板の一例であり、円環状になった状態を示す斜視図。
【図６】本願発明に係る髪飾りの一例を装着した状態の斜視図。
【発明を実施するための形態】
【００１２】  図１には本願発明に係る髪飾りの構成例が図示されている。髪飾りＡは、金属板２に装飾部材１を覆いかぶせることで構成されるが、装飾部材１の素材は布でもいいし、プラスチック系の素材でもよいし、その他どんな素材でもよい。また、装飾部材１のサイズを金属板２よりもずっと大きなサイズにすることで、デザインの幅を広げることも出来る。逆に、金属板２にフィットするサイズにしてもよい。装飾部材１にビーズなどをとりつけると、装飾性を高めることも出来る。
【００１３】  その他、装飾部材１が塗料であってもよくて、つまりその場合、金属板２に直接、塗料などをぬることを意味する。
【００１４】  また、そのような場合には、金属板２で怪我をしないよう、図２に示すように保護部材３をとりつけることが望ましい。保護部材３の材質は、どんな素材でもよいが、硬い素材の場合、先端に丸みをつけるなどの工夫をしたほうがよい。また、保護部材３にゴムのような素材を使い、滑り止めの効果を高めてもよい。いずれの素材にしても、装飾性を損なわないデザイン性が求められる。
【００１５】  その他、金属板２にどんな装飾部材や保護部材を施すにしても、金属板２が錆びないための工夫が必要である。その観点から、本願発明に係る髪飾りの構成例は、図１、図２の限りではなく、金属板２を防水性のある素材で包んでから、装飾部材１で覆ってもよいし、金属板２に防水や錆び止めのコーティングをしてから、装飾性を高める塗料を塗るなどしてもよい。
【符号の説明】１．装飾部材
２．金属板
３．保護部材
１０．髪
Ａ．髪飾り
【図１】
2011072759.tif 000003
【図２】
2011072759.tif 000004
【図３】
2011072759.tif 000005
【図４】
2011072759.tif 000006
【図５】
2011072759.tif 000007
【図６】
2011072759.tif 000008
(57)【要約】【課題】治療の目的以外の場合には、リラックスさせるために室内噴霧用に動作させることが可能なネブライザーの提供。【解決手段】本発明のネブライザーは、鼻腔及び／または咽頭での吸入アダプタを備え、吸入アダプタを折り畳みまたは取り外した時に、室内噴霧モードに切り替える噴霧モード切換え手段を備え、室内噴霧モードの時は吸入モードの時よりも少ない分量での噴霧量で吐出されるとともに、同時に光が点灯することを特徴とする。霧化可能液体を霧化(ミスと)にする超音波振動子、アロマ含有液体を霧化（ミスト）にする超音波振動子、マイナスイオン発生装置、光発生装置も備える。【選択図】  図２
2011072398.tif 000002
【特許請求の範囲】
【請求項１】
鼻腔及び／または咽頭での吸入アダプタを備え、吸入アダプタを折り畳みまたは取り外した時に、室内噴霧モードに切り替える噴霧モード切換え手段を備え、該室内噴霧モードの時は吸入モードの時よりも少ない分量での噴霧量で吐出されるとともに、同時に光が点灯することを特徴とするネブライザー。
【発明の詳細な説明】
【技術分野】
【０００１】
本発明は、エアロゾルの生成方法および生成装置に関する。より具体的には、ネブライザーに関する。
【背景技術】
【０００２】
ネブライザーは、医療分野で適用されている。医療用ネブライザーは、ある種の状態および疾患を治療するための薬物を肺送達するために、薬物エアロゾルを提供する。この種のネブライザーは、意識がある自発呼吸患者およびコントロールされた人工呼吸患者に対して適用される。しかしながら、治療を目的とするもので、治療時以外に動作させるものではなかった。
【先行技術文献】
【特許文献】
【０００３】
【特許文献１】特表２００９−５０６８５０号公報
【発明の概要】
【発明が解決しようとする課題】
【０００４】
本発明の目的は、上記問題点に鑑みてなされたもので、治療の目的以外の場合には、リラックスさせるために室内噴霧用に動作させることが可能なネブライザーを提供するものである。
【課題を解決するための手段】
【０００５】
上記課題を解決するために、本発明のネブライザーは、鼻腔及び／または咽頭での吸入アダプタを備え、吸入アダプタを折り畳みまたは取り外した時に、室内噴霧モードに切り替える噴霧モード切換え手段を備え、室内噴霧モードの時は吸入モードの時よりも少ない分量での噴霧量で吐出されるとともに、同時に光が点灯することを特徴とするネブライザーである。
【発明の効果】
【０００６】
本発明によれば、吸入用治療器として使用（駆動）しない場合時にも、室内噴霧を行なうリラグゼーションの装置として有効活用できる。
【図面の簡単な説明】
【０００７】
【図１】本発明のネブライザーの実施例における吸入モードにおける断面図である。
【図２】本発明のネブライザーの実施例における室内噴霧モードにおける断面図である。
【発明を実施するための形態】
【０００８】
次に、添付図面を参照に、例示のみを目的として本発明の好ましい実施形態を記載するが、適宜変更が可能であり、実施例に限定されるものではない。
【０００９】
まず、図１は、吸入モードにおける本発明のネブライザー１００の断面図である。図１において、１はハウジング、１ａは空気取り入れのための開口部、２は吸入用ノズル、２ａは吸入用ノズルのアダプタ、２ｂはオリフィス、３は流路、４ａは霧化可能液体、４ｂはアロマ含有液体、５は霧化可能液体，アロマ含有液体を収納する凹部であるリザーバ、６ａは霧化可能液体を霧化(ミスと)にする超音波振動子、６ｂはアロマ含有液体を霧化（ミスト）にする超音波振動子、７はマイナスイオン発生装置、８は、気分を和らげるための光発生装置である。電源は、商用のＡＣ１００Ｖ電源，電池９（充電池）等が適宜適用される。なお、１０は、噴霧モード切替スイッチ（噴霧モード切換え手段）である。
【００１０】
（吸入モードでの使用）
使用者は、まず、回動可能にハウジング１に取り付けられ、ハウジング１に収納された吸入用ノズル２をハウジング１から突出（図１参照）させて、アダプタ２ａをその先端に取り付ける。次に、電源ＯＮ／ＯＦＦスイッチ（不図示）をＯＮすると、ネブライザー１００が起動する。起動すると、ネブライザー１００装置全体のセルフチェックが行なわれ、異常の有無をマイクロコンピュータを含む制御部（ＣＰＵ；不図示）で判断する。
このとき、吸入モード／室内噴霧モードの噴霧モード切換えスイッチ（選択手段）１０は不働状態となり、自動で吸入モードとなる。なお、手動による吸入モード／室内噴霧モードの噴霧モード切換えスイッチをハウジング１の外部に設けて、使用者が選択できるようにしてもよい。異常がない場合、超音波振動子６ａが駆動される。超音波振動子６ａの振動波の焦点は、霧化可能液体４ａを収納したリザーバ５の底面に合わされているため、開口部１ａから空気を吸い込んで、霧化可能液体４ａがミスト（霧化）にされる。霧化された可能液体４ａは、矢印で示すように、邪魔板を設けた流路3を介して、その殆どは、吸入用ノズル２に着脱可能に設けられた吸入用アダプタ２ａから排出される（オリフィス２ｂは内径が吸入用アダプタ２ａに比して格段に小さいため）。この排出されたミストを使用者が、鼻腔及び／または咽頭から吸うことになる。
【００１１】
（室内噴霧モードでの使用）
使用者は、吸入用ノズル２の先端にキャップ２ｃをかぶせた後、吸入用ノズル２をハウジング１に収納し、電源ＯＮ／ＯＦＦスイッチ（不図示）をＯＮすると、ネブライザー１００が起動する。起動すると、ネブライザー１００の装置全体のセルフチェックが行なわれ、異常の有無をマイクロコンピュータを含む制御部（ＣＰＵ；不図示）で判断する。吸入用ノズル２が、ハウジング１に収納されると、吸入モード／室内噴霧モードの噴霧モード切換えスイッチ１０は付勢されて作動状態となり、自動で室内噴霧モードとなる。異常がない場合、超音波振動子６ｂが駆動される。超音波振動子６ｂの振動波の焦点は、アロマ含有液体４ａを収納したリザーバ５の底面に合わされているため、アロマ含有液体４ａは、矢印で示すように、邪魔板を設けた流路3を介して、その殆どは、オリフィス２ｂから排出される。このため、ネブライザー１００から噴霧される量は、吸入モードの場合と比べて少なくなる。この時、光発生装置８は、気分を和らげるための緑色の所定の波長の光を発生させる。また、スピーカ（不図示）からクラスチック音楽を発生させてリラックスできるようにしてもよい。また、放電電極７ａ，放電電極７ａと所定距離離間して対向配置された対向電極７ｂ及び高電圧発生部（不図示）を含むマイナスナスイオン発生部７を設けて、マイナスナスイオンを発生させるようにしてもよい。放電電極７ａと対向電極７ｂは、約１〜１０数ミリメートルに設定され、好ましくは３〜５ミリメートルに設定されている。また、高電圧発生部は、放電電極７ａと対向電極７ｂとの間で３〜６ＫＶ程度の高電圧を発生させる。
【符号の説明】
【００１２】
１  ハウジング、１ａ  開口部、２  吸入用ノズル、２ａ  アダプタ、２ｂ  はオリフィス、３  流路、４ａ  霧化可能液体、４ｂ  アロマ含有液体、５  リザーバ、６ａ  超音波振動子、６ｂ  超音波振動子、７  マイナスイオン発生装置、８  光発生装置、１００ネブライザー
【図１】
2011072398.tif 000003
【図２】
2011072398.tif 000004
(57)【要約】【課題】  ＬＣＤ製造に際し、導光板に対して簡便に反射板を固定しつつ伸縮ストレスに対応できる構造が求められていた。【解決手段】  本発明においては、導光板又はハウジングにボスを設けて反射板に設けた孔に挿入してその相対的な位置を固定した。特に、孔の径はボスの径より小さくし、かつ、切り込みを入れるものとした。  この構成とした結果、反射板はボスによって導光板に固定されつつも切り込みによってある程度の伸縮ストレスを緩和することができるようになり、量産時の不具合を抑制することができる。【選択図】図３
2011154846.tif 000002
【特許請求の範囲】
【請求項１】
ハウジングと、
前記ハウジングの裏側に配置された導光板と、
前記導光板の裏側に配置された基板と、
前記導光板と前記基板との間に配置された反射板と、
を含み、
前記導光板又は前記ハウジングにボスが形成され、かつ、
前記反射板には、前記導光板又は前記ハウジングの前記ボスに対応する位置に前記ボスより小さな径の孔と、前記孔から発する切り込みが形成され、かつ、
前記反射板は、前記ボスが前記孔に挿入されることによって前記導光板又は前記ハウジングに対して相対的に固定されること、
を特徴とするＬＣＤ。
【請求項２】
前記切り込みの長さは、前記ボスと前記孔との間の径の差より長く、かつ、径の差の５倍以下であること、を特徴とする請求項１に記載のＬＣＤ。
【発明の詳細な説明】
【技術分野】
【０００１】
本発明は、液晶ディスプレイ（以下、ＬＣＤ）に関する。より詳しくは、ＬＣＤの導光板に固定される反射板の固定構造に関する。
【背景技術】
【０００２】
ＬＣＤは、その世界的な需要の拡大から、より優れた量産方法を常に求められている。特に、新興国の需要を満たすには安く量産できる必要があるため、低コストであることがこれまで以上に求められている。
【０００３】
特許文献１に記載の構成は、このような量産方法を行うための構造の一例である。ＬＣＤは、大まかに言ってＬＣＤパネルを背面から導光板などを用いた面光源によって照明する構成を含んでいることが一般的である。ここで、導光板の裏側には導光板内の光をより多くＬＣＤパネル側へ入射させるために反射板が固定されている。特許文献１記載の構造は、この反射板を固定するために導光板の一部にボスを設け、反射板に設けた孔を通して金属製裏面ケースに挿入されている。こうすることによって、導光板に対して反射板が相対的に動きにくくなり、量産時に反射板がずれる不具合を簡便に減らす効果がある。
【先行技術文献】
【特許文献】
【０００４】
【特許文献１】特開２００６−２０１２１０
【発明の概要】
【発明が解決しようとする課題】
【０００５】
特許文献１記載の構成は、ボスの径より反射板の孔の径を小さくするとうまく固定されず、特に、組み立て時に反射板が落下するということで問題となる。しかし、ボスの径を反射板の孔と同じかそれ以上とすると、反射板の温度変化による伸縮でストレスがかかり、反射板に皺ができるなどの問題が起こる。従って、簡便に反射板を固定しつつ伸縮ストレスに対応できる構造が求められていた。
【課題を解決するための手段】
【０００６】
上記課題解決のため、本発明においては反射板の孔の径をボスの径より小さくし、かつ、切り込みを入れるものとした。
【発明の効果】
【０００７】
この構成とした結果、反射板はボスによって導光板に固定されつつも切り込みによってある程度の伸縮ストレスを緩和することができるようになり、量産時の不具合を抑制することができる。
【図面の簡単な説明】
【０００８】
【図１】概略的なＬＣＤモジュールの構成を示す図である。
【図２】本発明の反射板９を取り出して示した図である。
【図３】本発明の反射板９とボス７ａの勘合を示した図である。
【図４】本発明の反射板９の貫通孔１１に形成された切り込み１２の変形例を示した図である。
【発明を実施するための形態】
【０００９】
以下、図面を参照しながら説明する。図１は、概略的なＬＣＤモジュールの構成を示したものである。ＬＣＤモジュールは、前面の板金ケース１と配線基板（基材）１０の間に、ＬＣＤパネル２、拡散板６、導光板８、反射板９をこの順に並べた構造をとる。また、必要に応じてヒートシールコネクタ３、クッション４、ラバーコネクタ５、ハウジング７を用いる。また、配線基板１０上の導光板８端面に該当する箇所に、光源として発光ダイオード装置１０ａが固定されている。なお、ＬＣＤパネル２等の部品又は材料は、従来から使用されているものをそのまま採用できる。
【００１０】
図２は、図１の構成の中から反射板９を取り出して示したものである。反射板９の隅部三箇所には貫通孔１１が形成されている。また、貫通孔１１周囲を拡大したＡ部拡大図にあるとおり、貫通孔１１から発する切り込み１２が形成されている。なお、貫通孔１１は、図では三箇所としたが、二箇所以上であればよい。更に、図３は、反射板９の貫通孔と、導光板８又はハウジング７に形成されたボス７ａを示したものである。ボス７ａの径は、貫通孔１１の径よりも大きい。
【００１１】
ボス７ａの径が貫通孔１１の径よりも大きく、切り込みがあることにより、反射板９の貫通孔１１につけられた切り込みの捲れがボス７ａの直線部に引っかかり、導光板８又はハウジング７に対して強く固定される。結果として、反射板９が導光板８に対して相対的に動くことはない。また、温度変化による反射板９の伸縮を受けても、切り込み１２があることにより伸縮ストレスが緩和され、反射板９に皺ができない。
【００１２】
なお、ボス７ａの高さは、反射板９が抜け落ちなければ特に制限はないが、ＬＣＤモジュール全体の厚さを薄くする観点から２．５〜３ｍｍ以下であることが望ましい。また、ボス７ａの径は、作業性等を勘案して１．５〜２ｍｍ以下が適当である。更に、図３ではボス７ａの根元付近に直線部、先端部分に細くなっていく部分（誘導部）を持つ構造を例示したが、３〜７°程度の抜き勾配があっても良い。
【００１３】
また、切り込み１２の長さは、ボス７ａの径と貫通孔１１の径の差の５倍以下であることが望ましい。これより長いと、反射板９を固定する力が弱くなり、抜け落ちやすくなるからである。
【００１４】
図４は、貫通孔１１から発する切り込み１２の変形例である。切り込みの本数が複数であって、それぞれが別の方向へ向かうものを採用した場合、伸縮ストレスの方向により柔軟に緩和できるため、より望ましい。
【符号の説明】
【００１５】
１    板金ケース
２    ＬＣＤパネル
３    ヒートシールコネクタ
４    クッション
５    ラバーコネクタ
６    拡散板
７    ハウジング
７ａ  ボス
８    導光板
９    反射板
１０  配線基板（基材）
１１  貫通孔
１２  切り込み
【図１】
2011154846.tif 000003
【図２】
2011154846.tif 000004
【図３】
2011154846.tif 000005
【図４】
2011154846.tif 000006
(57)【要約】      （修正有）【課題】スケール機能付きビニール紐を提供する。【解決手段】ビニール紐１の印刷面には、縞模様状に印刷されたライン２があり、このライン２を数える事で、大凡の長さを目視判断する事が可能になった。さらに詳細な長さや数字を確認する時は、ビニール紐１を開き中の目盛４と数字３で正確な測定距離を確認出来る。ビニール紐１を収納するケース６に、計算機７を具備し、ビニール紐１を消費しても先端の数字５と必要とする長さを計算する事で簡単に目的の数字を算出出来る。【選択図】図１
2011154013.tif 000002
【特許請求の範囲】
【請求項１】
荷造り等、物を結束する用途で使用されるビニール紐に、長さや距離を測る目的の目盛や数字を印刷し、コストパフォーマンスの良い、大変長いスケールの代用品として利用する事を可能にしたスケール機能付きビニール紐を提供する。
【請求項２】
上記発明のビニール紐を収容し引出すケースに、紐の長さを計算する為の計算機を具備したケースを提供する事で、消費して変わるビニール紐の測定開始の数字から、目的の数字を算出できる、計算機能付きビニール紐のケースを提供する。
【発明の詳細な説明】
【技術分野】
【０００１】  伸縮の少ないビニール紐に、スケールやメジャーの様な長さを記した目盛と数字を、紐の長さ全てに印刷する事で安価なビニール紐がスケールやメジャーと同様の機能を持ち、さらに紐の長さにより通常のスケールやメジャーより長く測定する事を可能にした、スケール機能付きビニール紐を提供する。
【背景技術】
【０００２】  荷造りや古新聞等で使用されるポリエチレン製ビニール紐は、強靭であり伸びが少なく、細く束ねても引張方向には大変強度があるにもかかわらず、素材は軽く、原料、製造コストも安く、一般に結束用紐として広く使われている。  この様な特徴を持つビニール紐は、物を結束するだけでは無く、人の誘導や土地の区画等でも利用する事があり、このビニール紐を張る事で土地に明確な線引きとしての利用も可能で、物を結束する以外にも多くの別の使い方が出来る。  しかし、こうした使用の多くは使用目的で必要な長さがあり、その長さを正確にカットする場合には、ビニール紐を目的の長さで切る為の計測器具が別で必要であった。  また、長い直線でスケールやメジャーの長さを超える場合は、計測範囲で一度マークして、続きから再度、計測する方法を行っていた。  そしてこの作業は、目的の長さを決める為に起点から終点までの距離を一度、スケールやメジャーを使用して計測し、その位置をマークしてからビニール紐で張り直す必要があり、二人で作業を行う事も多く、起点と終点を計測者が往復するなどの手間でもあった。
【発明の開示】
【発明が解決しようとする課題】
【０００３】  紐にスケールやメジャーの様な目盛を印刷し作業者が簡単に使い始めと目的の測定距離を、紐を見ただけで判断出来る必要があるが、文字を大きく印刷するには有る程度紐を太くしなくては印刷が出来ても視認性が悪くなる。  しかし、紐を太くすれば紐の巻き数が減るか、紐の束が大きくなってしまい作業性も悪くなる。それに、測定距離の短縮と余分に材料が必要になりコストアップにもなってしまう。【０００４】  また、紐は強度を持たせる為、有る程度の幅を丸めて細くしてあり、シワ等により目盛や数字を印刷しても読み取るには大変困難と思われる。【０００５】  そして紐は、本来の使い方として、使用する度に引出しては切り取られ、先端より消耗してしまう為、紐の先端に印刷した目盛や数字が切り取られ、変化し、０からの測定が出来ない欠点があった。
【課題を解決するための手段】
【０００６】  作業者が目的の距離に達するまで、紐を引出す目安として紐に一定間隔、これを例えば１メートルと仮定して、紐の短手方向に明確なラインを印刷する事で、１メートル間隔の縞模様になり、強度を得る為にある程度丸めた状態や折り畳んだ状態の紐でもそのラインを目視する事は可能で、また、ビニールなどの素材では、印刷したラインが透けて内側に丸められても、作業者が認識するに十分な目印となる。そして、そのラインの数を数える事で大凡の距離を作業者は簡単に目視認識をし、測定作業の効率を上げる事が出来た。【０００７】  そして、作業者が更に正確な距離を把握する為には、丸めた、若しくは折り畳んだ紐を広げる事により、内側には詳細な長さを把握出来る目盛と数字が印刷してある。作業者の測定手順としては、有る程度まで紐に入ったラインを頼りに数える事で大凡の距離を把握し、次に正確な長さを確認、測る為に、紐を広げ、中の目盛と数字にて目的の長さを知る事が可能になった。  また、紐に印刷される目盛や数字は、一定間隔に記される縞模様のラインの印刷より目立たなく、若しくは小さく印刷する事で、作業者が大凡の距離を測る時の一定間隔のラインと誤認しない様にする必要もある。【０００８】  また、紐を消費して紐の先端が測定の０の目盛からでは無くなった場合、例えば起点の数字に目的の距離を足す事で、作業者が目標とする測定距離になる。この作業をしやすくする為に、当発明のビニール紐を収容するケースの側面に、計算機を具備する事で、作業者の目的とする測定距離を容易に算出する事が出来る、計算機能付きビニール紐の収容ケースを提供する。
【発明の効果】
【０００９】  例えば、運動場や芝生の広場にて、ドッチボールなどのコートを仮設する時に、石灰によるライン引きが管理上出来ない場合には、当発明のビニール紐と釘等を使う事で、正確なコートのライン引きを、一人の作業者が測りながら同時に張る事が可能になり、作業の効率が上がり、さらに撤去時には、ビニール紐を外す事で現状復帰に掛かる作業も簡単に終える事が出来る様になった。【００１０】  また、建設予定地や建物の大きさなど、スケールやメジャーの大きさを超えてしまう場合に当発明のビニール紐を使う事で、一回での測定が可能になった。【００１１】  また、学校の授業や団体での作業時などに実施する、授業の教材や工作の道具として、大量の物差しが必要な場合に、当発明のビニール紐を必要な長さで大量にカットする事で低コストの物差しとして、代用する事が出来る。
【図面の簡単な説明】
【００１２】
【図１】は、目安となるライン２と、ビニール紐１を開いて詳細な目盛４と数字３と５の印刷を表した図とビニール紐１と、その紐を収容する計算機７を具備したビニール紐ケースの構成を表した図。
【００１３】
【図２】は、ビニール紐１が丸めて細く運用されている状態でも、目安となるライン２を表す図である。
【００１４】
【図３】は、ビニール紐１を収容するビニール紐ケース６に測定距離を計算する計算機７を具備した一例を表した図である。
【符号の説明】  １  ビニール紐  ２  目安のライン  ３  目安のライン数字  ４  詳細なライン  ５  詳細な数字  ６  ビニール紐ケース  ７  計算機  ８  ビニール紐カッター
【図１】
2011154013.tif 000003
【図２】
2011154013.tif 000004
【図３】
2011154013.tif 000005
(57)【要約】【課題】      旅館、ホテルなどの浴槽で使用するシャンプー、リンス等はポンプ付容器に元容器から手操作で小分け詰替されているが、小分け詰替注入する作業を数多くこなすため能率が悪く作業に時間がかかっていた。また、手の腱鞘炎の原因にもなることもあった。本発明は以上のような欠点をなくすために提供された簡易詰替用容器である。【解決手段】  ポンプ（１）を戴置したシャンプー、リンスなどの定立型容器（２）において、該容器の底部（３）に詰替液結合口（５）とヒンジ型逆止弁（４）を設ける。小分け詰替作業においては、容器の底部を上にして詰替液を注入する。詰替液結合口（５）は元容器等の注入装置の吐出ノズルに結合されることにより必要な液体などが、注入され効率的かつ、手の疾患を防ぐ子分け詰替が可能になる簡易詰替用容器（６）を特徴とする。【選択図】図１
2011105385.tif 000002
【特許請求の範囲】
【請求項１】
ポンプ（１）を戴置した液体用の定立型容器（２）において、該容器の底部（３）に詰替口結合口（５）とヒンジ型逆止弁（４）を設けた簡易詰替用容器（６）。
【請求項２】
ヒンジ型逆止弁（４）は、元容器等の注入装置の吐出ノズルの結合、液注入に従って開口し、また、液注完了し、該吐出ノズルの離脱後、定立した容器（２）内の液圧に従って閉塞する構造を有している請求項１の簡易詰替用容器（６）。
【発明の詳細な説明】
【技術分野】
【０００１】  この発明は、シャンプー、リンスなどの小分け使用用のポンプ付容器において、該容器の底部に詰替液結合口とヒンジ型逆止弁を設けた簡易詰替用容器に関するものである。
【背景技術】
【０００２】  従来、旅館、ホテルなどの浴槽で使用するシャンプー、リンスはポンプ付容器に元容器から手操作で小分け詰替されて使用されている。
【発明の開示】
【発明が解決しようとする課題】
【０００３】  これは、次のような欠点があった。
作業者は一個一個の容器上部のねじ付キャップを開けて小分け詰替注入する作業を数多くこなすため能率が悪く作業に時間がかかっていた。また、同じ動作をするため手の腱鞘炎の原因にもなることもあった。本発明は以上のような欠点をなくすためになされたものである。
【課題を解決するための手段】
【０００４】  ポンプ（１）を戴置したシャンプー、リンスなどの定立型容器（２）において、該容器の底部（３）に詰替液結合口（５）とヒンジ型逆止弁（４）を設ける。小分け詰替作業においては、容器の底部を上にして詰替液を注入する。詰替液結合口（５）は元容器等の注入装置の吐出ノズルに嵌合されることにより必要な液体などが、注入され効率的かつ、手の疾患を防ぐ子分け詰替が可能になる。  本発明は、以上の構成・使用方法からなる簡易詰替用容器（６）である。
【発明の効果】
【０００５】  シャンプー、リンスなどのポンプ付小分け使用容器の底部から元容器等の注入装置により詰替用液体を半自動的に注入できるので作業効率が上がり、また、作業が容易になることから手の疾患発生も減ることになる。
なお、詰替口結合口を底部以外に設置しても良いが美観上の問題が残る。
また、注入装置を例えば、レベル計の使用により、一定量の小分けが可能である。
【発明を実施するための最良の形態】
【０００６】  以下、本発明を実施するための最良の形態について実施例を、図面にもとづいて説明する。
一般的に販売されているポンプ（１）を戴置した定立型容器（２）において、その底部（３）に詰替液結合口（５）を、更にその後方に内容物をこぼさないためのヒンジ型逆止弁（４）を設け、簡易詰替用容器（６）使用時のポンプ（１）を上部にして定立させた液の逆流を防止する。ヒンジ型逆止弁（４）は、元容器等の注入装置の吐出ノズルの結合、液注入に従って開口し、また、液注完了し、該吐出ノズルの離脱後、定立した容器（２）内の液圧に従って閉塞する構造を有している。更に、ポンプ（１）加圧力によっても強く閉塞することによりポンプ（１）の吐出口から内部液が吐出する。
本発明は、以上のような構造である。
【図面の簡単な説明】
【０００７】
【図１】  本発明の断面図と外観図の組合わせ図である。
【符号の説明】
【０００８】  １  ポンプ
２  容器本体
３  底部
４  ヒンジ型逆止弁
５．詰替液結合口
６．簡易詰替用容器
【図１】
2011105385.tif 000003
(57)【要約】      （修正有）【課題】このウィングキャップは色々なフタ（キャップ）に使用する事の出来るキャップである。特に開けずらいペットボトルや化粧品のフタ、醤油のフタ、ありとあらゆるフタが簡単に開ける事が出来るよう開発、発明されたウィングキャップです。【解決手段】従来のフタ（キャップ）では細い立て筋のみぞか、やや太いみぞが刻まれていたが、非力な老人、女性、子供など開ける事が大変困難でした。そこでキャップに凸を３ヶ所に付ける事で開け易いウィングキャップを発明しました。このウィングキャップは画期的で世界基準になる要素を持ったウィングキャップである。【選択図】図１
2011105386.tif 000002
【特許請求の範囲】
【請求項１】
あらゆるキャップに凸をほどこした、フタである。
【請求項２】
フタに３ヶ所凸を付けたキャップである。
【発明の詳細な説明】
【技術分野】
【０００１】  従来のペットボトルは開けずらく、特に非力な老人や女性などは開けずらい。そこで開けやすくする為にキャップ（フタ）に、３ヶ所の凸をほどこす事で容易にキャップ（フタ）を開けられるのである。
【背景技術】
【０００２】  従来のペットボトルには細い立線が付けてあるが、手がぬれていると手がすべって開けられない、叉太い立線のみぞが付けてあるが、手のひらに喰いこんで痛いので開けずらい。
【発明の開示】
【発明が解決しようとする課題】
【０００３】  開けずらいペットボトルのキャップが、凸を３ヶ所に付けたキャップを付けたペットボトルを開発する事で開けやすくなり、非力な老人、女性でもかんたんに開ける事ができるのである。
【課題を解決するための手段】
【０００４】  あらゆるキャップの３ヶ所に凸を付けた、ペットボトル、ビンのフタ、化粧品のフタ、回して開けるフタのすべてに凸を付ける事で開けやすいのである。
【発明の効果】
【０００５】  ペットボトルのキャップ、あらゆるフタを回して開けるキャップ（フタ）に凸を付ける事で非力な人でも、かんたんに開ける事が出来るのである。
【発明を実施するための最良の形態】
【０００６】  この発明を世界基準にするべく、あらゆるペットボトルのメーカ、キャップメーカ等に協力する事である。
【実施例】
【０００７】  机上の計算で、キャップに凸を３ヶ所に付ける事を考案されたアイデアで今後世界基準にするべく実施し努力することである。
【産業上の利用可能性】
【０００８】  各メーカが、いかに開けやすいキャップを開発する事で売上がのびる産業界に利用が大であり、世界基準になりうるのである。
【図面の簡単な説明】
【０００９】
【図１】Ａ−正面図  Ｂ−上面図
【符号の説明】  （ア）  キャップ（フタ）
（イ）  凸（ウィング）
（ウ）  ペットボトル（ビン）
【図１】
2011105386.tif 000003
(57)【要約】【課題】  ラップフィルムの切り口が、カートンの中のロールに巻戻ってしまった場合、切り口が分からなくなってしまうことや、分かっても引き出しすことに手間がかかったり、切り口を再現できず、使用不能になってしまう場合がある。【解決手段】  ラップフィルの巾より長く、強度があり、切れ目が入っていることで、3本に独立して分かれる粘着テープを、巻き込んだラップフィルムのロールの、フィルム巾方向任意の場所に3本そろった状態で貼る。そして真ん中の粘着テープをはがすと、そこに密着した部分のラップフィルムが一緒にやぶけて、粘着テープといっしょにはがれる。はがさなかった両側の粘着テープの一方が貼られた部分は、新しい切り口となる。粘着テープで縁取りされているので、ラップフィルムをつまみやすくなる。カートンに収納して使用できる。もう片側の粘着テープは、不要になった部分の縁となるので、はがして廃棄する作業を容易にする。 【選択図】  図2
2011105411.tif 000002
【特許請求の範囲】
【請求項１】
テープ状で切れ目が入っていることで3本に独立する粘着フィルム。
【請求項２】
作業中の必要な段階までばらけないように、リタックシートと裏紙で一体化された、テープ状で切れ目が入っていることで3本に独立する粘着フィルム。
【発明の詳細な説明】
【技術分野】
【０００１】
本発明はラップフィルムの端をそのロールに巻き込んでしまった場合に、任意の部分に新たな切り口を作るために使用する、粘着テープに関するものである。
【背景技術】
【０００２】
ラップフィルムの巻戻りに関しては、カートンに巻戻り防止機能のしかけを付加するというものが多い。
【先行技術文献】
【特許文献】
【０００３】
【特許文献１】特開平01-009151
【特許文献２】特開平04-018248
【発明の概要】
【発明が解決しようとする課題】
【０００４】
ラップフィルムは、前回切られた部分の続きがロールから引き出されたままカートンの外部に残り、次回またそこをつまんで、引き出して使用するものである。その切り口部分がロールに巻戻ってしまわないように、カートン自体にいろいろ工夫された製品はあるが、どれも100％完璧では無く、使用中に巻戻ってしまうことが、しばしばある。その場合、どこが切り口か判別がつかず、ロールからフィルムを引き出せなくなってしまうことがある。また切り口が分かっても、ロールに密着してしまい、きれいにはがして元のような切り口を再現することは難しい。切り口を再現できない場合は、そのラップフィルムのロールは使用不能になってしまうこともある。このように巻戻ってしまった場合の有効な解決策が無いことが問題であった。
【０００５】
本発明は、ラップフィルムの切り口がロールに巻戻ってしまった場合、切り口を探して引き出すことに手間がかかるし、再使用ができない場合もあるという問題点に対して、新たな切り口を作成することで解決を図るという方法である。
【課題を解決するための手段】
【０００６】
ラップフィルの巾より長く、強度があり、切れ目があることで3本に分かれる粘着テープを、巻き込んだラップフィルムのロールの任意の場所に貼る。そして真ん中のテープをはがす。
【発明の効果】
【０００７】
3本の粘着テープにロールフィルムの表面が密着するので、真ん中の粘着テープをはがすと、そこに密着した部分のラップフィルムが一緒にやぶけて、粘着テープといっしょにはがれる。そこでラップフィルムの表面、巾いっぱいに切れ目が入る。
【０００８】
はがさなかった両側の粘着テープのどちらか片側は新しい切り口となる。粘着テープで縁取りされているので、ラップフィルムをつまみやすく、縦に裂けることも無く簡単に引き出すことができる。
【０００９】
残ったもう片側の粘着テープは、新しい切り口を作ったことでラップフィルムに若干の不要部分ができるが、その不要部分の縁となるので、はがして廃棄する作業を容易にする。
【００１０】
上記のように、新たな切り口を作った状態で、ラップフィルムをカートンに収めれば、再使用することができる。    
【図面の簡単な説明】
【００１１】
【図１】図１は3本の粘着テープをラップフィルのムロールに貼って、リタックシートをはがしている状態の斜視図である。
【図２】図２は真ん中の粘着テープをはがしている状態の斜視図である。
【図３】図３は新しい切り口と、不要部分ができた状態の斜視図である。
【図４】図４は粘着テープの構成を示す斜視図である。
【図５】図５は粘着テープの断面図である。
【発明を実施するための形態】
【００１２】
以下、本発明の実施の形態を図１〜図５に基づいて説明する。
【００１３】
粘着テープは切れ目が入っているので2a、2b、2cと3本独立した状態で並んでいるが、作業前にバラバラにならぬよう、粘着面には裏紙3、表面には粘着力の弱いリタックシート1が貼られている。図４がその構成を示す。  
【００１４】
まず裏紙3をはがし、ラップフィルムのロールの巾方向任意の位置に3本の粘着テープを貼る。リタックシート1が密着しているので、作業中粘着テープは、ばらけない。その後図1のようにリタックシート1をはがす。
【００１５】
図２のように、真ん中の粘着テープ2bをはがすと、その部分に密着していたラップフィルムが引っ張られ、やぶれて一緒にはがれる。ロール巾いっぱいに、ラップフィルムの表面1層がやぶれて、新しい切り口ができる。
【００１６】
粘着テープ2aと2cは新しくできた切り口の両側である。図３のように、一方はラップフィルムのロール側の新たな切り口5となり、他方は不要廃棄部分6の切り口となる。それぞれ粘着テープに縁取りされているので、そこをつまんで、容易にロールからはがすことができる。新しい切り口側は縦に裂けることもなく、巾いっぱいに引き出すことができる。不要部分は廃棄すればよい。
【００１７】
新しい切り口5を引っ張り少々ラップフィルムを延ばした状態で、カートンに収めれば、通常の状態でまた使用を開始できる。
【産業上の利用可能性】
【００１８】
食品用ラップフィルムに限らず、大型の農業用フィルムなど、ロール状のフィルムであれば、この方法は有効である。
【符号の説明】
【００１９】
1・・・リタックシート
2a・・・粘着テープ
2b・・・粘着テープ
2c・・・粘着テープ
3・・・粘着テープの裏紙
4・・・ラップフィルムのロール
5・・・新規切り口
6・・・不要部分
7a・・・粘着テープ2aの粘着層
7b・・・粘着テープ2bの粘着層
7c・・・粘着テープ2cの粘着層
【図１】
2011105411.tif 000003
【図２】
2011105411.tif 000004
【図３】
2011105411.tif 000005
【図４】
2011105411.tif 000006
【図５】
2011105411.tif 000007
(57)【要約】      （修正有）【課題】市販の自転車には省スペースを考慮した為の、ハンドルが折りたためる構造をした品がなく、広く市場に普及する事により、駐輪場での有効スペースが確保でき、家庭内での狭いスペースでも置くことが可能となる。【解決手段】自転車のハンドル部の中心近くから左右共にサドル側方向に折りたためる構造とする。予め折りたたみ可能なる連結部品をハンドルパイプ５の中に取り付け、その連結部はネジ式スライドリング４にてカバーしておく、駐輪時は、スライドリング４をスライドし折りたたむ、工具は使わずに手作業のみで操作できる。【選択図】図１
2011105060.tif 000002
【特許請求の範囲】
【請求項１】
自転車の駐輪時はハンドル左右を、手作業によって地面と平行にサドル方向
または垂直方向にヒンジを止める位置を変えることにより折りたたみ方向が変わる、
運転時前に於いては、現状復帰が出来る構造であることを特徴とする自転車ハンドルの折りたたみ構造。
【請求項２】
前記ヒンジ部は、ハンドルの構造としくみに採用する部品類の構造と他への応用
パイプとパイプ相互間の連結に関する連結用凸部1、凹部2を両パイプ5の内側に
ネジ込み、凸部1、凹部2をかみ合わせ、凸部、凹部の中心貫通穴6にボルト3-1、
ナット3-2にて連結し、及びその連結部分を覆うスライドネジ式カバーリングする
構造を有することを特徴とする請求項１記載の自転車のハンドル折りたたみ構造。
【発明の詳細な説明】
【技術分野】
【０００１】
この発明は、自転車のハンドル部左右の途中を折りたたむことに関するものである。
【背景技術】
【０００２】
自転車駐輪スペースの省スペース化を計る
【０００３】
この改善策として、ハンドルパイプの途中に、工具を使わずに手回しにて折りたたむことを可能にし、現状復帰できる、連結ボルト金具類を使用した。
【先行技術文献】
【特許文献】
【０００４】
【特許文献１】特開2001-71978号公報
【０００５】
【特許文献２】特開2009-173221号公報
【発明の概要】
【発明が解決しようとする課題】
【０００６】
従来の自転車のハンドルは大半が折りたためる構造としておらず、駐輪場では出し入れに隣のハンドルとがひっかかったり、家庭内でもそれなりの幅が必要とされる。
ハンドルを折りたためることにより、駐輪台数の増加が可能になり、家庭では通路や廊下、ベランダ等にも置くことが可能となる等、駐輪のための省スペース化を課題とする。
【課題を解決するための手段】
【０００７】
以上の課題を解決するために、本発明のハンドルを折りたたむ構造は、ハンドルパイプの中心部近くから分けて左右供に車体と平行にサドル方向または垂直真下方向に折りたたむことにより、ハンドルの左右の出っ張りを少なくし駐輪幅の省スペース化を図り、運転時前には現状復帰を可能にした。
【発明の効果】
【０００８】
自転車ハンドルの中心部近くに左右共に、予め折りたたむ事が可能な仕組みを作っておき、駐輪の際には、そのしくみに設けたカバーを左右それぞれスライドし折りたたむことが出来ることにより、自転車の幅は従来の1/3程となり、駐輪場のスペースが有効活用でき、家庭内でも廊下やベランダなどでの設置が可能となる。
【図面の簡単な説明】
【０００９】
【図１】図1は自転車車体の全体平面図で既存の自転車(左側)とハンドルを折りたたんだ状態(右側))。
【図２】図2は自転車のハンドルをサドル方向へ折りたたんだ部分の拡大平面図
【図３】図3は自転車のハンドルを垂直真下方向へ折りたたんだ部分のスケッチ図
【図４】図4は折りたたむ為の、構造部品と組み立て展開図。
【発明を実施するための形態】
【００１０】
自転車全体の姿として、ハンドルが折りたたむしくみとしての一次実施形態は、図1に示す様に、駐輪時にハンドルを上面から見て主軸(中心)部近くより左右に夫々分けて、分けた個所に曲げることが可能なヒンジ部品を予め施しておく、ハンドルの取手側はそのヒンジ)部分から地面と平行にサドル方向に折りたたむことができる、二次形態としては、図３に示す様に、ヒンジ部品位置を９０°変えることにより真下方向に折りたたむことができる、運転時前には、その漣結したヒンジ部分はスライド可能なネジ式カバーリングにてネジ締めしておきハンドルを一体化すべく固定する、ヒンジ)部の部品は、連結用ボルト１本とねじ込み式金具３個にて組立て連結しておく。
この特徴は、アフターメンテのことも考慮し、なるべくシンプルに部品点数を最小限にし、自転車メーカーサイドにて製品化するものとし、また、利用者がハンドルを折りたたむ行為は、工具を使わずにスライドカバーリングを手作業にて回すことによりスライドさせることのみで折りたたむことを可能にし、走行時には、現状復帰出来るようにした。
このヒンジの構造は、ハンドルを夫々分けた箇所のハンドルパイプ5の左右内側入口内に連結用凸部ねじ込み金具1を、片方には連結用凹部ねじ込み金具2をねじ込み、双方をかみ合わせ、かみ合わせ部分の中心には貫通穴6を空け、連結用ボルト3-1・ナット3-2にて連結する、その際の連結用ボルト3-1は円筒形で、連結用凸部1凹部2をかみ合わせた嵩寸法はねじ切り無の滑らかな面に仕上げ、ナット3-2嵩寸法相当はネジ仕上げとする、連結用凸部1凹部2及びボルト3-1、ナット3-2の合計嵩寸法はハンドルパイプ5の直径(外形)以内とする、また、ヒンジを噛合せ止める位置を任意に変えることによりハンドルパイプ5を折りたたむ方向が変わる。
スライドカバーリング4は運転、走行時にはヒンジ部分を覆う役目とハンドルパイプ5がヒンジ部から折れないようにストッパーの役目としてハンドルパイプ5にオーバーラップさせネジ止め固定する、駐輪時にはカバーリング4を回しスライドし、ヒンジ部を露出させハンドルパイプ5をヒンジ部により折りたたむ。
【実施例】
【００１１】
図4は本発明の1実施例及び2実施例の部品としくみの構造図である。
【００１２】
折りたたむ箇所(ヒンジ)の構造は様々考えられるが、更にその箇所を覆い、自転車の走行時のハンドルの折れ曲がりを防止するストッパーとして安全性を考慮したのが、ねじ込み式スライドカバーリング4である。
【符号の説明】
【００１３】
1連結用凸部(ねじ込み式金具)
2連結用凹部(ねじ込み式金具)
3-1連結用ボルト、
3-2ナット(金具)
4連結部ネジ式スライドカバーリング(金具)
5ハンドルパイプ
6  符号１及び2の貫通穴
【図１】
2011105060.tif 000003
【図２】
2011105060.tif 000004
【図３】
2011105060.tif 000005
【図４】
2011105060.tif 000006
(57)【要約】【課題】  皮膚刺激緩和性・皮膚の弾力性及び保湿性などのコンディションを整えつつ、不快な使用感が無く簡便な使用性である二重まぶたをつくる化粧料を提供する。【解決手段】  皮膚刺激緩和性及び皮膚コンディショニングと接着性を良くする下地を形成する１剤と、皮膜弾力性及び接着持続性を主目的に形成される２剤であることで二重まぶたを自在に作る化粧料を見出し、１剤で皮膚との親和性を良くした後に、２剤で皮膚を接着することを特徴とする。【選択図】なし【特許請求の範囲】
【請求項１】
皮膚刺激緩和及び皮膚コンディショニングと接着性を良くする下地を形成する１剤と、皮膜弾力性及び接着持続性を主目的に形成される２剤であることで、１剤で皮膚との親和性を良くした後に、２剤で皮膚を接着することを特徴とする二重まぶたをつくる化粧料。
【発明の詳細な説明】
【技術分野】
【０００１】  本発明は、皮膚の弾力性及び保湿性などのコンディションを整えつつ、不快な使用感が無く簡便な使用性である二重まぶたをつくる化粧料に関する。
【背景技術】
【０００２】  二重まぶたは女性にとって美しい容貌の要素と言われている。このような理由から、従来〜今日に至り、固体テープ状の物質をまぶたの形に張り付けて二重を形成させたり、若しくは液体のり状の物質をまぶたの形に塗りつけて二重を形成させることが行われている。【０００３】  これらの先行技術で、固体テープ状の物質はそれ自体に厚みがあり、形成した二重まぶたは、張り付けかたによって外見上不自然になってしまったり、目のまわりの敏感な皮膚には刺激が強すぎカブレなどを生じることなどが問題視されいる。また、それを解決するために一つの剤型に湿潤剤・抗炎症剤等を配合して構成させるなどの手段を用いると、その複雑な構成成分により、本来の目的である接着力が悪くなるなどの欠点があり、満足のゆくものではなかった。【０００４】  液体のり状の物質は固体テープ状の物質と比べ、塗りつけた時に不自然な厚みにはならないが、同様にカブレなどを生じさせることや、それを解決するために一つの剤型に湿潤剤・抗炎症剤等を配合して構成させるなどの手段を用いると、皮膜乾燥の際及び高湿度下でベタツクなどの不快な使用感を生ずるなどの欠点があり、満足のゆくものではなかった。
【発明の開示】
【発明が解決しようとする課題】
【０００５】  本発明は、皮膜の弾力性、皮膚刺激緩和性に優れるとともに、べたつき等の不快な使用感を生じない良好な二重まぶたをつくる化粧料を提供することを目的とする。
【課題を解決するための手段】
【０００６】  本発明者は、上記の目的を解決するため検討した結果、皮膚刺激緩和性及び皮膚コンディショニングと接着性を良くする下地を形成する１剤と、皮膜弾力性及び接着持続性を主目的に形成される２剤であることで二重まぶたを自在に作る化粧料を見出し、本発明を完成した。すなわち本発明は、１剤で皮膚との親和性を良くした後に、２剤で皮膚を接着することを特徴とする二重まぶたをつくる化粧料にある。【０００７】  本発明の１剤の構成成分は、皮膚親和成分として、人の皮膚構成成分でもある、水、ヒアルロン酸、コラーゲン、脂肪酸と、下地形成をする植物を由来とする高分子を各々０．１〜１０．０％の範囲で配合することを特徴とする。【０００８】  本発明の２剤の主構成成分は、皮膜弾力性・接着持続性・皮膜形成能を有する高分子化合物で、アクリレーツコポリマー（ダイトゾール５０００ＡＤ  大東化成社製）、アクリル酸アルキルコポリマー（ダーマクリルＡＱＦ  日本エヌエスシー社製）、（メタクリロイルオキシエチルカルボキシベタイン／メタクリル酸アルキル）コポリマー（ユカフォーマー１０４Ｄ・ユカフォーマー２０２・ユカフォーマー２０４ＷＬ・ユカフォーマー３０１・ユカフォーマー５１０・ユカフォーマーＭ−７５・ユカフォーマーＲ２０５・ユカフォーマーＲ２０５Ｓ・ユカフォーマーＲ４０２・ユカフォーマーＳＭ  三菱化学社製）など、商業的に入手でき、配合量はしなやかで、ごわつきが感じられない皮膜を形成する、各々０．１〜１０．０％の範囲で配合することを特徴とする。【０００９】  本発明の１剤、２剤に用いる構成成分の他に発明の効果を損なわない範囲であれば、例えば１以上の、有機物天然水溶性高分子類（植物系、動物系、微生物系）、有機物半合成高分子類（セルロース系、デンプン系、アルギン酸系、その他多糖類系誘導体）、）アルカリ剤類、油脂類、アルコール類、多価アルコール類、非イオン界面活性剤、有機粉体及び色材、アミノ酸及びその誘導体、ビタミン及びその誘導体、無機粉体及び顔料、動物抽出物、植物抽出物、防腐・殺菌剤類、キレート剤類を各々０．００１ｗｔ％〜２０．０ｗｔ％の範囲で含むことが可能で、剤型として液状、ゲル状等種々のタイプにすることができ、特に剤型を問わない。
【発明の効果】
【００１０】  本発明によれば、従来よりある固体テープ状の物質、液体のり状の物質の欠点を解決し、皮膚刺激緩和性・皮膚の弾力性及び保湿性などのコンディションを整えつつ、不快な使用感が無く簡便な使用性で二重まぶたをつくる化粧料を消費者に提供できる。
【発明を実施するための最良の形態】
【００１１】  この発明の実施するにあたり、ペンシル状の容器１本の右側に１剤、左側に２剤を充填した簡便な構造とし消費者に提供する。【００１２】  「実用テスト」（皮膜持続性・使用感）
被験者２０名を用いて、二重まぶた化粧料の１剤、２剤の試料を実際に使用させた。
被験者本人に、試料塗布直後の刺激感、皮膜持続性、使用感（べたつきのなさ、しなやかさ、違和感のなさ）について評価させた。その後、表１に示す評価基準に従って、判定した。【００１３】
【表１】
2011105697.tif 000002